(57)【特許請求の範囲】
【請求項１】
大きさの揃った球形の種子を多数収納する種子収納部と、該種子収納部の下方開口部に設けられて該種子収納部から種子を繰り出す繰出ロールと、該下方開口部における種子の繰出側開口に、該繰出ロールの外周に摺接するように取り付けられた升切りブラシとを備え、
前記繰出ロールは、１の種子が入る繰出穴を周面に少なくとも１つ有するとともに、前記種子収納部の内側と外側との間で前記繰出穴を移動させることができるように回転可能に取り付けられた播種機において、
前記繰出ロールは、周面の幅方向における中央部に前記繰出穴を備えるとともに、同幅方向における両端側に、下記（イ）及び（ロ）のすべての要件を備えた凹部を備えており、該凹部により前記種子収納部の内側の種子を揺動させるように構成されたことを特徴とする播種機。
（イ）前記繰出ロールの回転方向の前側が段状に深くなり、同回転方向の後側ほど徐々に浅くなるように形成されている。
（ロ）前記凹部の開口が種子の直径より大きく形成されており、前記凹部の深さが種子の半径程度の深さに形成されている。
【発明の詳細な説明】
【０００１】
【発明の属する技術分野】
本発明は、圃場に種子を播種するための播種機に関するものである。
【０００２】
【従来の技術】
従来の播種機の要部側断面図を図６（ａ）に示す。この播種機５０は、多数の種子５１を収納する種子収納ケース５２と、該種子収納ケース５２の下方開口部に回転可能に設けられた繰出ロール５３とを備えている。繰出ロール５３には、１の種子５１が入る繰出穴５４が周方向に所定間隔ごとに形成されている。そして、繰出ロール５３を回転させることにより、種子収納ケース５２内の種子５１を一つずつ繰出穴５４に汲み上げ、種子収納ケース５２外部に順次種子５１を取り出すようになっている。
【０００３】
【発明が解決しようとする課題】
ところが、各繰出穴５４は種子５１が１つずつ入る大きさに形成されているため、例えば図６（ｂ）に示すように種子収納ケース５２内の種子５１が繰出穴５４の移動経路の左右に並んで整列してしまうと、同図に破線の矢印で示すように繰出ロール５３を回転させ繰出穴５４を移動させても、種子５１が繰出穴５４に入らなくなるという問題がある。
【０００４】
本発明の目的は、上記課題を解決し、種子収納部から種子をスムーズに取り出すことができる播種機を提供することにある。
【０００５】
【課題を解決するための手段】
上記目的を達成するために、本発明の播種機は、
大きさの揃った球形の種子を多数収納する種子収納部と、該種子収納部の下方開口部に設けられて該種子収納部から種子を繰り出す繰出ロールと、該下方開口部における種子の繰出側開口に、該繰出ロールの外周に摺接するように取り付けられた升切りブラシとを備え、
前記繰出ロールは、１の種子が入る繰出穴を周面に少なくとも１つ有するとともに、前記種子収納部の内側と外側との間で前記繰出穴を移動させることができるように回転可能に取り付けられた播種機において、
前記繰出ロールは、周面の幅方向における中央部に前記繰出穴を備えるとともに、同幅方向における両端側に、下記（イ）及び（ロ）のすべての要件を備えた凹部を備えており、該凹部により前記種子収納部の内側の種子を揺動させるように構成されたことを特徴としている。
（イ）前記繰出ロールの回転方向の前側が段状に深くなり、同回転方向の後側ほど徐々に浅くなるように形成されている。
（ロ）前記凹部の開口が種子の直径より大きく形成されており、前記凹部の深さが種子の半径程度の深さに形成されている。
【０００６】
この構成によれば、前記凹部を備えているので、前記種子収納部内の種子を揺動させることにより、種子の流動を促進させ、前記繰出穴内に種子がスムーズに入るようにすることができる。
特に、前記（イ）の構成により、前記繰出ロールを回転させると、段状に形成された前側から前記凹部内に種子が入り込むことになり、種子が急に移動する。これによって、前記種子収納ケース内の種子を揺動させ、該種子の流動を促進させることができる。また、前記（ロ）の構成により、前記凹部を介して種子が前記升切りブラシの下側を通過しないようにすることができる。
【０００７】
なお、前記播種機においては、特に限定されないが、次の態様とすることを例示する。
（１）前記繰出穴の移動経路上に沿って種子を一列に整列させるためのガイド部を備えた態様。
（２）前記ガイド部は、前記繰出穴の移動経路の両側に前記繰出ロールの周方向に延びるように形成されたガイド部材を備えた態様。
【０００８】
この態様では、前記ガイド部によって、前記繰出穴の移動経路上に沿って種子を一列に整列させることにより、移動される該繰出穴の略真上に種子が位置するようにし、該繰出穴内に種子がスムーズに入るようにしている。
【００１１】
【発明の実施の形態】
図１〜図５は本発明を具体化した一実施形態の播種機１を示している。この播種機１は、トラクタ（図示略）により牽引・駆動されるトラクターアタッチ用のものであり、機体２と、該機体２の前後にそれぞれ回転可能に支持された前輪３及び後輪４と、圃場に播種溝を刻設するとともにそのとき跳ね上げた土を後方の播種溝に覆土する溝切・覆土機構５と、該播種溝に肥料を施す施肥装置６と、該播種溝に種子９を播く播種装置７と、該播種溝に農薬を施す施薬装置８と、前記トラクターから入力軸１０を介して入力される動力を各機構及び装置に伝動する動力伝動機構１１とを備えている。機体２は、前方に延びるリフトアーム１２及びマスト１３を備えており、リフトアーム１２及びマスト１３の先端部が前記トラクターに装着されて、牽引されるようになっている。
【００１２】
播種装置７は、機体２に支持された種子ホッパー１５と、該種子ホッパー１５の下部に連設された種子収納部としての種子収納ケース１６と、該種子収納ケース１６の下方開口部に設けられて該種子収納ケース１６から種子９を繰り出す繰出部１７と、該繰り出された種子９を播種溝上に落下するように案内する種子落下筒１８とを備えている。
【００１３】
繰出部１７は、種子収納ケース１６の下方開口部に回転軸２７を介して回転可能に軸支された繰出部材としての繰出ロール２０と、種子収納ケース１６に取り付けられたガイド部２１とを備えている。種子収納ケース１６の下方開口部の繰出側開口には、升切りブラシ２２の先端が繰出ロール２０の外周に摺擦するように取り付けられるとともに、該升切りブラシ２２の前方には、その下側を通過した種子９の動きを確認するための透明樹脂製のカバー２３が取り付けられている。また、同開口部の反繰出側開口は、開閉可能に取り付けられた種子排出シャッター２４によって閉鎖されている。この種子排出シャッター２４を横方向にスライドさせることにより、該開口を開けると、種子収納ケース１６内の種子９が筒部２５及びホース２６を通過して排出されるようになっている。
【００１４】
繰出ロール２０の周面の幅方向の位置Ａ，Ｂには、それぞれ周方向へ所定間隔ごと（本例では中心角４５°ごと）に複数（本例では８つ）の繰出穴３０が形成されるとともに、位置Ａ，Ｂそれぞれの繰出穴３０の中心を経由する一対の種子跳ね出し溝３１が環状に形成されている。各繰出穴３０は１の種子９が入り、かつ２以上の種子９が入らない程度の大きさに形成されており、繰出ロール２０を回転させると、種子収納ケース１６の内側と外側との間で繰出穴３０を移動させることができるようになっている。種子跳ね出し溝３１は、繰出穴３０よりも深く形成されており、種子排出シャッター２４の先端部に取り付けられた種子跳ね出し板３２が該溝内に配設されるようになっている。この種子跳ね出し板３２は、繰出穴３０が下方を向いた状態になっても該穴内から自然落下しない種子９を強制的に跳ね出すようになっている。
【００１５】
また、繰出ロール２０の周面の幅方向における両端側には、種子収納ケース１６内側の種子９を揺動させるための凹部３３が設けられている。この凹部３３は、周方向へ所定間隔ごと（本例では中心角６０°ごと）に複数（本例では６つ）形成されている。各凹部３３は繰出ロール２０の回転方向の前側が段状に深くなり、同回転方向の後側ほど徐々に浅くなるように形成されている。これにより、繰出ロール２０を回転させると、段状に形成された前側から凹部３３内に種子９が入り込むことになり、種子９が急に移動する。これによって、種子収納ケース１６内の種子９を揺動させ、該種子９の流動を促進させることができる。特に限定されないが、本例のように凹部３３の開口を種子９の直径より大きく形成するときは、凹部３３の深さを種子９全体が入り込まない深さ（好ましくは種子９の半径程度の深さ）にすることが好ましい。これは凹部３３を介して種子９が升切りブラシ２２の下側を通過しないようにするためである。
【００１６】
ガイド部２１は、繰出ロール２０周面の周方向に沿って延びるように形成された先端部３５と、該先端部３５を種子収納ケース１６に支持するための支持部３６とが一体形成されたガイド部本体３７を備えるとともに、先端部３５の両側にはそれぞれ上下一対のスペーサ３８を介して取り付けられたガイドプレート３９を備えている。ガイドプレート３９は、先端部３５の断面形状と略等しい形状に形成されている。先端部３５は、図２に示すように、平面視で繰出穴３０を塞がないように該繰出穴３０の周縁に略接する位置に側面３５ａが形成されている。そして、この側面３５ａと、ガイドプレート３９の先端部側側面３９ａとの間隔は、繰出穴３０開口の直径と略等しくなるように設定されている。このようにガイド部２１は、ガイド部材としての先端部３５及びガイドプレート３９により繰出穴３０の移動経路の両側にガイドを形成し、繰出穴３０の移動経路上に沿って種子９を一列に整列させるようになっている。
【００１７】
次に、この播種装置７の動作について説明する。種子収納ケース１６に種子９を入れた播種機１を圃場に設置し、トラクターに装着して牽引すると、播種機１の進行に応じて繰出ロール２０が図３及び図４に実線で示す矢印方向に回転する。この回転に伴い、図３に示すように種子収納ケース１６内の種子９は、順次繰出穴３０に汲み上げられる。また、同回転により、図４に示すように繰出ロール２０に形成された凹部３３によって種子収納ケース１６内の種子９が揺動される。これにより、種子９の流動を促進させ、ガイド部２１の先端部３５及びガイドプレート３９によって形成されるガイド内へスムーズに種子９が送り込まれるとともに、繰出穴３０にスムーズに種子９が送り込まれる。
【００１８】
さて、繰出穴３０に汲み上げられた種子９は、升切りブラシ２２の下を通過してカバー２３に案内された後、繰出穴３０から落下し、種子落下筒１８内を通過して播種溝に落下し、溝切・覆土機構５によって覆土される。そして、この播種に伴って播種溝には施肥装置６によって適宜肥料が施されたり、施薬装置８によって適宜農薬が施されたりする。
【００１９】
上記実施例はトラクターアタッチ用の播種機１について説明したが、本発明はテーラ牽引用の播種機や手押し式播種機等の各種播種機において実施可能であり、上記実施例には限定されない。
【００２０】
以上のように構成された本発明の播種機１によれば、繰出穴３０の移動経路上に沿って種子９を一列に整列させるためのガイド部２１を備えているので、移動される繰出穴３０の略真上に種子９が位置するようにすることができる。このため、繰出穴３０内に種子９がスムーズに入るので、種子収納部としての種子収納ケース１６から種子９をスムーズに取り出すことができる。
【００２１】
また、繰出部材としての繰出ロール２０は種子収納ケース１６内側の種子９を揺動させるための凹部３３を備えているので、種子収納ケース１６内の種子９の流動を促進させることができる。このため、繰出穴３０内に種子９がスムーズに入るので、種子収納ケース１６から種子９をスムーズに取り出すことができる。
【００２２】
なお、本発明は前記実施形態に限定されるものではなく、例えば以下のように、発明の趣旨から逸脱しない範囲で適宜変更して具体化することもできる。
（１）繰出ロール２０の周面に凹部３３に代えて、又は凹部３３とともに凸部を設けること。
（２）繰出ロール２０の周面から凹部３３を省くこと。
（３）ガイド部２１を省くこと。
【００２３】
【発明の効果】
本発明の播種機によれば、種子収納部から種子をスムーズに取り出すことができるという優れた効果を奏する。
【図面の簡単な説明】
【図１】  本発明の実施形態に係る播種機の側面図である。
【図２】  同播種機の繰出部を示す平面図である。
【図３】  図２のＩＩＩ−ＩＩＩ線断面図である。
【図４】  図２のＩＶ−ＩＶ線断面図である。
【図５】  同繰出部の要部を示す斜視図である。
【図６】  従来の播種機の繰出部を示す図であり、（ａ）は側断面、（ｂ）は平面図である。
【符号の説明】
１    播種機
７    播種装置
９    種子
１６    種子収納ケース
１７    繰出部
２０    繰出ロール
２１    ガイド部
３０    繰出穴
３３    凹部
３５    ガイド部材としての先端部
３９    ガイド部材としてのガイドプレート
【図１】
0004997393.tif 000002
【図２】
0004997393.tif 000003
【図３】
0004997393.tif 000004
【図４】
0004997393.tif 000005
【図５】
0004997393.tif 000006
【図６】
0004997393.tif 000007